(57)【要約】【課題】即時情報付きの定位装置構造を提供する。【解決手段】処理ユニットと画像捕獲ユニットと経緯度定位器と蓄蔵ユニットと地理アドレス表示ユニット及び信号処理ユニットが含有される移動式電子機構と、通信連結ユニットとサーブ機構及びデータベースが含有される情報供給機構とが含有される。移動式電子機構は、即時に定位して捕獲した画像の実際座標地図を表示できる他、情報供給機構と連結し、捕獲した画像の周辺地域においての生活関係情報が供給される。【選択図】図１
0003125127.tif 000002
【実用新案登録請求の範囲】
【請求項１】
処理ユニットと、当該処理ユニットに連結され、画像を捕獲できる画像捕獲ユニットと、当該処理ユニットに連結され、捕獲した画像時の所在位置を供給できる経緯度定位器と、当該処理ユニットに連結され、ディジタル画像と画像データを蓄蔵できる蓄蔵ユニットと、当該処理ユニットに連結され、画像データにおいて所在位置の経緯度を実際座標地図に表示できる地理アドレス表示ユニットと、当該処理ユニットに連結される信号処理ユニットと、が含有される移動式電子機構と、
上記移動式電子機構の信号処理ユニットにより連結され、必要とする関係情報を供給し、少なくとも、当該移動式電子機構と連結するための通信連結ユニットと、当該移動式電子機構を認証するためのサーブ機構と、連結ユニットによりサーブ機構に連結され、必要とするデータを供給するためのデータベースと、が含有される情報供給機構と、
が含有される、
ことを特徴とする即時情報付きの定位装置構造。
【請求項２】
当該移動式電子機構がコンピュータやPDA或いは携帯電話等の携帯式電子通信製品であることを特徴とする請求項１に記載の即時情報付きの定位装置構造。
【請求項３】
当該経緯度定位器がGPSであることを特徴とする請求項１に記載の即時情報付きの定位装置構造。
【請求項４】
当該ディジタルデータが捕獲した画像の時間や日付及び経緯度であることを特徴とする請求項１に記載の即時情報付きの定位装置構造。
【請求項５】
当該連結ユニットがNetBEUIやTCP/IPであることを特徴とする請求項１に記載の即時情報付きの定位装置構造。
【請求項６】
当該データベースに、少なくとも、駐車容量データベースやレストランデータベース及びホテルデータベース等の日常生活関係メッセージのデータベースであることを特徴とする請求項１に記載の即時情報付きの定位装置構造。
【請求項７】
当該データベースの各データが新規作成や削除或いは更新できることを特徴とする請求項１に記載の即時情報付きの定位装置構造。
【考案の詳細な説明】
【技術分野】
【０００１】
本考案は、即時情報付きの定位装置構造に関し、特に、即時に定位して捕獲した画像の実際座標地図を表示できる他、捕獲した画像の周辺地域においての生活関係情報が供給されるものに関する。
【背景技術】
【０００２】
一般の、従来の移動式電子機構は、例えば、コンピュータやPDA或いは携帯電話等の携帯式電子通信製品で、通信やカメラ、衛星航法、データ整理及びオンラインのビデオーオーディオマルチメディア装置が結合されることにより、ユーザーが移動式電子機構を多元化に適用でき、例えば、データ伝送や写真撮影、ビデオ撮影或いは地図衛星航法等の関係情報を選択して応用できる。
【０００３】
既存の移動式電子機構は、データ伝送や写真撮影、ビデオ撮影或いは地図衛星航法等の関係情報を選択して応用できるが、その通信やカメラ、衛星航法、データ整理及びオンラインの機能が、単独的にだけ利用でき、また、当該カメラが、撮影した時、画像の他に、写真だけに撮影した時の日付や時間を記録し、また、その衛星航法が、移動式電子機構のデータベースだけにおいてサーチでき、一定の時間後、自分でソフトの更新を行うことが必要であるため、実用的なものとは言えない。
【考案の開示】
【考案が解決しようとする課題】
【０００４】
本考案の主な目的は、実用上の不便を解消するため、即時に定位して、捕獲した画像の実際座標地図を表示出来る他、情報供給機構と連結して、捕獲した画像の周辺地域においての生活関係情報が供給される移動式電子機構を提供する。
【課題を解決するための手段】
【０００５】
請求項１の考案は、処理ユニットと、当該処理ユニットに連結され、画像を捕獲できる画像捕獲ユニットと、当該処理ユニットに連結され、捕獲した画像時の所在位置を供給できる経緯度定位器と、当該処理ユニットに連結され、ディジタル画像と画像データを蓄蔵できる蓄蔵ユニットと、当該処理ユニットに連結され、画像データにおいて所在位置の経緯度を実際座標地図に表示できる地理アドレス表示ユニットと、当該処理ユニットに連結される信号処理ユニットと、が含有される移動式電子機構と、上記の移動式電子機構の信号処理ユニットにより連結され、必要とする関係情報を供給し、少なくとも、当該移動式電子機構と連結するための通信連結ユニットと、当該移動式電子機構を認証するためのサーブ機構と、連結ユニットによりサーブ機構に連結され、必要とするデータを供給するためのデータベースと、が含有される情報供給機構と、が含有される、ことを特徴とする即時情報付きの定位装置構造である。
【０００６】
請求項２の考案は、当該移動式電子機構がコンピュータやPDA或いは携帯電話等の携帯式電子通信製品であることを特徴とする請求項１に記載の即時情報付きの定位装置構造である。
【０００７】
請求項３の考案は、当該経緯度定位器がGPSであることを特徴とする請求項１に記載の即時情報付きの定位装置構造である。
【０００８】
請求項４の考案は、当該ディジタルデータが捕獲した画像の時間や日付及び経緯度であることを特徴とする請求項１に記載の即時情報付きの定位装置構造である。
【０００９】
請求項５の考案は当該連結ユニットが、NetBEUIやTCP/IPであることを特徴とする請求項１に記載の即時情報付きの定位装置構造である。
【００１０】
請求項６の考案は、当該データベースに、少なくとも、駐車容量データベースやレストランデータベース及びホテルデータベース等の日常生活関係メッセージのデータベースであることを特徴とする請求項１に記載の即時情報付きの定位装置構造である。
【００１１】
請求項７の考案は、当該データベースの各データ、新規作成や削除或いは更新できることを特徴とする請求項１に記載の即時情報付きの定位装置構造である。
【考案を実施するための最良の形態】
【００１２】
図１と２及び３は、それぞれ、本考案の基本構造概念図と本考案の移動式電子機構のブロック概念図及び本考案の情報供給機構のブロック概念図である。本考案は、図のように、即時情報付きの定位装置構造であり、少なくとも、移動式電子機構１と情報供給機構２とから構成され、移動式電子機構１は、即時に定位して捕獲した画像の実際座標地図を表示できる他、情報供給機構２と連結して、捕獲した画像の周辺地域の生活関係情報が供給される。
【００１３】
上記の移動式電子機構１は、コンピュータやPDA或いは携帯電話等の携帯式電子通信製品で、処理ユニット１１と、処理ユニット１１に連結され、画像を捕獲できる画像捕獲ユニット１２と、処理ユニット１１に連結され、画像を捕獲した時の所在位置を供給できる経緯度定位器１３、処理ユニット１１に連結され、ディジタル画像や画像データを蓄蔵できる蓄蔵ユニット１４と、処理ユニット１１に連結され、画像データにおいて所在位置の経緯度を実際座標地図に表示できる地理アドレス表示ユニット１５と、処理ユニット１１に連結される信号処理ユニット１６とが含有され、前記の経緯度定位器１３は、GPS (Global Position System、 GPS)であり、当該ディジタルデータは、捕獲した画像の時間や日付及び経緯度等の関係情報である。
【００１４】
当該情報供給機構２は、上記移動式電子機構１の信号処理ユニット１６に連結され、必要とする関係情報を供給し、少なくとも、移動式電子機構１と連結するための通信連結ユニット２１と、移動式電子機構１を認証するためのサーブ機構２２と、連結ユニット２４によりサーブ機構２２に連結され、必要とするデータを供給するためのデータベース２３とが含有され、前記の連結ユニット２４は、NetBEUIやTCP/IPであり、当該データベース２３は、少なくとも、駐車容量データベース２３１やレストランデータベース２３２、ホテルデータベース２３３、…等の日常生活関係メッセージのデータベース２３であり、また、当該データベース２３の各データは、新規作成や削除或いは更新できる。上記の構造により新規の即時情報付きの定位装置構造が構成される。
【００１５】
図１、２、３及び４は、それぞれ、本考案の基本構造概念図、本考案移動式電子機構のブロック概念図、本考案情報供給機構のブロック概念図及び本考案の使用状態概念図である。本考案は、図のように、利用する時、移動式電子機構１の画像捕獲ユニット１２で所在地域の画像（当該画像は、所在地域の人物や街道或いは商店等である）を捕獲し、画像捕獲ユニット１２が画像を捕獲するとともに、経緯度定位器１３で、画像を捕獲する時の所在位置の時間や日付及び経緯度を蓄蔵ユニット１４に蓄蔵し、当該蓄蔵ユニット１４にディジタル画像と画像データが蓄蔵され、ユーザーが捕獲した画像の実際座標地図を知りたい時、移動式電子機構１を操作して、蓄蔵ユニット１４に蓄蔵されているディジタル画像と画像データを読取り、また、当該経緯度データを分析して、当該経緯度定位器１３が経緯度データの位置座標を解析し、地理アドレス表示ユニット１５により、当該捕獲した画像の実際座標地図を移動式電子機構１に表示し、これにより、移動式電子機構１で即時に定位して捕獲した画像の実際座標地図を表示でき、そのため、ユーザーが、明白且つ正確的に当該画像を撮影した時の所在位置が分かる。
【００１６】
また、ユーザーが、当該撮影した時の所在位置の周辺地域の生活関係情報を知りたい時、移動式電子機構１は、信号処理ユニット１６が、通信連結ユニット２１により情報供給機構２に連結され、その後、必要とするデータやパスワードを入力し、サーブ機構２２が移動式電子機構１を認証した後、サーブ機構２２に連結され、この時、ユーザーが移動式電子機構１で入力することやクリックすることにより画像を撮影した時の所在位置の必要とする関係情報を選択でき、そして、サーブ機構２２により、連結ユニット２４を介して、データベース２３から、例えば、所在位置の周辺地域においての駐車容量データベース２３１やレストランデータベース２３２或いはホテルデータベース２３３等の日常生活関係メッセージの関係メッセージを読取り、これにより、移動式電子機構１は情報供給機構２に連結され、ユーザーに捕獲した画像の周辺地域においての生活関係情報を供給できる。
【００１７】
以上の説明のように、本考案は、即時情報付きの定位装置構造で、有効的に従来の様々の欠点を改善でき、移動式電子機構が即時に定位でき、捕獲した画像の実際座標地図を表示出来る他、情報供給機構に連結され、捕獲した画像の周辺地域においての生活関係情報を供給できるため、より実用的なものであるから、法に従って実用新案登録請求を出願する。
【００１８】
以上は、ただ、本考案のよりよい実施例であり、本考案は、それによって制限されず、本考案に係わる実用新案登録請求や明細書の内容に基づいて、色々の等価の変更や修正ができるが、当該変更や修正は、全てが、本考案の実用新案登録請求の範囲内に含まれる。
【図面の簡単な説明】
【００１９】
【図１】本考案の基本構造概念図
【図２】本考案の移動式電子機構のブロック概念図
【図３】本考案の情報供給機構のブロック概念図
【図４】本考案の使用状態概念図
【符号の説明】
【００２０】
１        移動式電子機構
１１      処理ユニット
１２      画像捕獲ユニット
１３      経緯度定位器
１４      蓄蔵ユニット
１５      地理アドレス表示ユニット
１６      信号処理ユニット
２        情報供給機構
２１      通信連結ユニット
２２      サーブ機構
２３      データベース
２３１         駐車容量データベース
２３２         レストランデータベース
２３３         ホテルデータベース
２４            連結ユニット
【図１】
0003125127.tif 000003
【図２】
0003125127.tif 000004
【図３】
0003125127.tif 000005
【図４】
0003125127.tif 000006